(57)【要約】【課題】  弁機構を備えた中栓内部を洗浄することが容易な液体容器の中栓を提供する。【解決手段】  本発明の液体容器の中栓は、中栓本体１１内部に、容器本体５内と連通する液通路２１上端の注口２３を注出可能に開放または漏出不可に閉塞する弁機構を備えた液体容器２の中栓１において、中栓本体１１側壁に、中栓本体１１内を開放するための開放口２７を形成した。【選択図】図１
2004195216.tif 000002
【特許請求の範囲】
【請求項１】
中栓本体内部に、容器本体内と連通する液通路と、該液通路の上端の注口を注出可能に開放または漏出不可に閉塞する弁機構とを備えた液体容器の中栓において、
前記中栓本体側壁に、前記中栓本体内を開放するための開放口を設けたことを特徴とする液体容器の中栓。
【請求項２】
前記開放口に、着脱自在に開放用蓋を設けたことを特徴とする請求項１に記載の液体容器の中栓。
【請求項３】
中栓本体内部に、容器本体内と連通する液通路と、該液通路の上端の注口を注出可能に開放または漏出不可に閉塞する弁機構を備えた液体容器の中栓において、
前記中栓本体は、分離可能な上本体および下本体からなることを特徴とする液体容器の中栓。
【請求項４】
前記上本体に、前記弁機構を設け、
前記下本体に、前記液通路と、前記注口と、前記容器本体に密着するパッキンとを設けたことを特徴とする請求項３に記載の液体容器の中栓。
【請求項５】
前記上本体側壁に、前記上本体内を開放するための開放口を設けたことを特徴とする請求項３または４に記載の液体容器の中栓。
【発明の詳細な説明】
【技術分野】
【０００１】
本発明は、液体容器の中栓に関するものである。
【背景技術】
【０００２】
この種の液体容器は、容器本体の上端の口部に中栓が取り付けられている。また、この中栓には、容器本体内と連通する液通路と、該液通路を開閉する弁機構とが設けられている。この弁機構を操作することにより、液通路を開放して容器本体内の液体を注口から注出可能に開放、または、漏出不可に閉鎖するようになっている。
【特許文献１】特開平０７−２０４１０８号公報
【特許文献２】特開平２０００−１１６５４２号公報
【発明の開示】
【発明が解決しようとする課題】
【０００３】
しかしながら、前記液体容器の中栓では、中栓の液通路を開放することにより液通路内側を洗浄することができるが、中栓の弁機構内部の洗浄が困難であるという問題があった。さらに、一旦、弁機構内に液体が侵入すると中栓内部を乾燥させることが困難であるという問題もあった。
【０００４】
そこで、本発明では、弁機構を備えた中栓内部を洗浄することが容易な液体容器の中栓を提供することを課題とするものである。
【課題を解決するための手段】
【０００５】
本発明は、前記課題を解決するための手段として、
中栓本体内部に、容器本体内と連通する液通路と、該液通路の上端の注口を注出可能に開放または漏出不可に閉塞する弁機構とを備えた液体容器の中栓において、
前記中栓本体側壁に、前記中栓本体内を開放するための開放口を形成したものである。
【０００６】
前記液体容器の中栓によれば、中栓本体側壁に中栓本体内を開放する開放口が形成されているので、中栓本体内部を開放口を介して露出することができる。これにより、中栓本体内部を容易に洗浄、乾燥できる。
【０００７】
前記開放口に、着脱自在に開放用蓋を設けることが好ましい。
【０００８】
本発明は、前記課題を解決するための他の手段として、
中栓本体内部に、容器本体内と連通する液通路と、該液通路の上端の注口を注出可能に開放または漏出不可に閉塞する弁機構を備えた液体容器の中栓において、
前記中栓本体は、分離可能な上本体および下本体からなるものである。
【０００９】
前記液体容器の中栓によれば、中栓本体を上本体および下本体に分離することにより中栓本体内部を開放することができる。これにより、中栓本体内部を容易に洗浄、乾燥できる。
【００１０】
前記上本体に、前記弁機構を設け、
前記下本体に、前記液通路と、前記注口と、前記容器本体に密着するシール部材とを設けることが好ましい。
【００１１】
前記上本体に、前記上本体内を開放するための開放口を設けることが好ましい。
【発明の効果】
【００１２】
以上のように、本発明によれば、液体容器の中栓内部を容易に洗浄、乾燥できる。
【発明を実施するための最良の形態】
【００１３】
以下、本発明の実施形態を添付図面に従って説明する。
【００１４】
図１は、本発明の第１実施形態に係る中栓１を備えた液体容器２を示す。この液体容器２は、内瓶３と外瓶４とからなる真空二重構造を有する容器本体５を備える。容器本体５には、容器本体５の上端開口部内に肩体６を介して前記中栓１が着脱可能に取り付けられている。前記肩体６には、コップ兼用の中蓋７ａおよび外蓋７ｂが着脱可能に取り付けられている。
【００１５】
前記肩体６は、前記容器本体５の上端開口部に上方より外嵌し、外瓶４に対して強制嵌め等の周知の取付構造によって取り付けられるものである。また、この肩体６の外周には、外蓋７ｂを螺締め等の周知の取付構造からなる取付部が設けられている。
【００１６】
第１実施形態の中栓１は、プッシュ操作式であり、中栓本体１１と、取付リング１２と、キャップ１３と、弁部材１４と、スライド部材１５と、エア抜き用弁体１６と、操作部１７とからなる。
【００１７】
前記中栓本体１１は、前記容器本体５の上端開口部に装着されるもので、図２Ａ〜Ｅに示すように、略有底円筒形状をなし、その内部前方（図２Ａ中、左方）には、垂直方向に延びる液通路２１が設けられている。この液通路２１の上端開口部には、後述するシール部４２ａが嵌入する嵌入部２２が設けられている。この嵌入部２２の外縁部前方には、注口２３が形成されている。また、中栓本体１１の底壁後方（図２Ａ中、右方）には、前記エア抜き用弁体１６を挿通する挿通孔２４が形成されている。また、この中栓本体１１底壁には、前記弁部材１４の回動軸４４を下側から支持する支持部２５が突設されている。さらに、中栓本体１１の下端外周部には、容器本体５の内周部との間をシールする環状のパッキン２６（図１に図示）が装着されている。
【００１８】
また、前記中栓本体１１の側壁には、開放口２７が形成されており、この開放口２７には、開放用蓋２８が取り付けられるようになっている。この開放用蓋２８は、図３（ａ）〜（ｃ）に示すように、前記中栓本体１１の側壁に沿った形状の蓋本体２８ａからなり、この蓋本体２８ａ両端には、開放口２７に形成された係合部に係合する係合突片２８ｂ，２８ｃが設けられている。図４に、この開放用蓋２８を中栓本体１１側壁の開放口２７に取り付けた状態を示す。
【００１９】
前記取付リング１２は、前記中栓本体１１より大径の筒形状を有する。この取付リング１２は、その上端を前記中栓本体１１の上端に強制嵌め等の周知の取付構造によって一体に取り付けられている。この取付リング１２内周部には、肩体６に螺締めして取り付ける取付部が設けられており、前記中栓本体１１を取付リング１２を介して前記肩体６に装着するためのものである。
【００２０】
前記キャップ１３は、前記中栓本体１１の上端開口部に嵌合させて取り付けるもので、図５に示すように、略円板形状を有する。キャップ１３前方には、前記中栓本体１１の注口２３と前記弁部材１４のフラップ４１を露出するための切欠部３１が形成されている。キャップ１３下面には、前記スライド部材１５を水平方向にスライド可能に取り付けるための溝３２が形成されている。また、このキャップ１３下面には、前記中栓本体１１の支持部２５と対向する位置に前記弁部材１４の回動軸４４を上側から位置決めするＬ字形状の突片３３が設けられている。また、前記Ｌ字形状の突片３３は、スライド部材１５を外向きに付勢するためのスプリング５４ａの一端を受けるようになっている。また、キャップ１３下面には、前記操作部１７を垂直方向にガイドするガイド筒３４が設けられている。このガイド筒３４には、操作部１７の突出部１７ａおよび干渉突片１７ｂを挿通する溝３４ａ，ｂが形成されている。
【００２１】
前記弁部材１４は、前記中栓本体１１に回動可能に配設されて前記注口２３を閉塞するものである。この弁部材１４は、弁部材１４前側に前記注口２３の形状と略一致するフラップ４１を備えている。このフラップ４１には、止水用弁体４２を挿通保持する貫通孔４３（図１に図示）が形成されている。前記止水用弁体４２は、シリコンゴム等の弾性材料からなり、止水用弁体４２下部には前記液通路２１の上端開口部を気密に閉鎖するシール部４２ａが形成されている。このシール部４２ａは、略円筒形状をなし、その外径寸法は、前記液通路２１の嵌入部２２に嵌入可能かつ嵌入部２２の内径寸法より若干大きい寸法を有する。また、シール部４２ａの下端は、内向きに湾曲成形されている。
【００２２】
また、弁部材１４の両側には、前記中栓本体１１の支持部２５に回動可能に支持される回動軸４４が突設されている。さらに、弁部材１４の一方の側には、側方に突出する凸部４５が設けられており、この凸部４５には、弁部材１４を（図６（ｂ）および図７（ｂ）に示すように）開放位置に付勢するスプリング４５ａが係止されている。なお、このスプリング４５ａは、止水用弁体４２が液通路２１の嵌入部２２に嵌入した状態では、弁部材１４を開放位置に回動させることができず、一旦、弁部材１４が嵌入部２２から離脱した場合、弁部材１４を開放位置まで回動できる程度の付勢力とされている。また、弁部材１４の両側には、後述するスライド部材１５の腕部５２先端が係合する略凹形状の係合段部４６が設けられている。この係合段部４６は、図６（ｂ）に示すように、スライド部材１５の腕部５２先端により図中、左方に押圧されると、弁部材１４を（図６（ａ）および図７（ａ）に示すように）閉塞位置に回動するようになっている。また、この係合段部４６一端は、図６（ａ）に示すように、弁部材１４が閉塞位置に位置するときスライド部材１５の腕部５２先端下面により移動を規制され、これにより弁部材１４が開放位置へ回動することを防止するようになっている。また、前記弁部材１４の後側には後壁部４７が下方に突設されており、該後壁部４７下端には干渉突部４７ａが設けられている。
【００２３】
前記スライド部材１５は、前記キャップ１３と中栓本体１１内底面との間に配置され、キャップ１３の溝３２に沿ってスライド可能に取り付けられるものである。このスライド部材１５は、Ｕ字形状の切欠部５１ａを有する基板部５１を備え、該基板部５１の前端には、一対の腕部５２が設けられている。また、前記基板部５１下面には、前記操作部１７の突出部１７ａが摺動する斜面５３ａと該斜面５３ａと連続している水平面５３ｂが形成されている。また、前記スライド部材１５の片側には、スプリング５４ａの一端が挿通される挿通軸５４が設けられている。このスプリング５４ａによりスライド部材１５は、中栓本体１１後方に付勢されている。
【００２４】
前記エア抜き用弁体１６は、前記中栓本体１１に形成されている挿通孔２４より若干小径の軸部６１を備えている。このエア抜き用弁体１６には、Ｏリングからなるシールパッキン６２が装着され、前記中栓本体１１に形成した挿通孔２４を下方より気密に閉鎖する。また、前記軸部６１上部には、下端開口の筒体６３が取り付けられ、該筒体６３上面と前記中栓本体１１底壁との間にスプリング６３ａが設けられている。このスプリング６３ａは、前記エア抜き用弁体１６を上向きに付勢するものである。
【００２５】
前記操作部１７は、前記エア抜き用弁体１６の軸部６１が下方から嵌合されて装着され、前記スライド部材１５のＵ字形状の切欠部５１ａおよびキャップ１３ガイド筒３４を貫通して露出するものである。図５に示すように、上端閉鎖の円筒形状をなし、その下端外周部には、径方向に突出する突出部１７ａが設けられている。この突出部１７ａは、前記スライド部材１５の基板部５１下面、斜面５３ａおよび水平面５３ｂを摺動するものである。また、操作部１７前側には、前記弁部材１４の干渉突部４７ａに上方から干渉する干渉突片１７ｂが設けられている。  
【００２６】
また、本発明の弁機構は、前記中栓１のキャップ１３、弁部材１４、スライド部材１５、エア抜き用弁体１６および操作部１７から構成されている。なお、弁機構の構成要素は、これらに限定されるものではない。
【００２７】
次に、前記構成からなる液体容器２の容器本体５内の液体を注出する場合について説明する。
【００２８】
図１の液体容器２から、中蓋７ａおよび外蓋７ｂを取り外し、キャップ１３より露出した操作部１７を下方にプッシュ操作する。このとき、図７（ｂ）に示すように、操作部１７とともにエア抜き用弁体１６が、スプリング６３ａによる付勢力に抗して下降し、エア抜き可能な状態となる。操作部１７の突出部１７ａをスライド部材１５の水平面５３ｂより下方位置まで下降させると、スライド部材１５がスプリング５４ａの付勢力で後方にスライドする。これにより、スライド部材１５の腕部５２先端下面により移動を規制されていた弁部材１４が開放位置へ回動可能になる。また、操作部１７がプッシュ操作されて下方に移動すると、操作部１７の干渉突片１７ｂが弁部材１４の干渉突部４７ａを上方から押し下げることにより、弁部材１４を開放位置に向かって僅かに回動させる。そして、止水用弁体４２のシール部４２ａが液通路２１の嵌入部２２から離脱し、弁部材１４がスプリング４５ａの付勢力によって開放位置に回動する。これにより、液通路２１と連通した容器本体５内の液体が注出可能な状態となる。
【００２９】
また、弁部材１４を開放した状態では、液通路２１が完全に露出した状態になるため、中栓１を容器本体５から取り外して洗浄する際の作業性がよく、液通路２１の液体による汚れを確実に除去することができる。
【００３０】
前記液通路２１を閉塞する場合、図７（ａ）に示すように、中栓本体１１から突出したスライド部材１５を前方（図中、左方）に押圧してスプリング５４ａの付勢力に抗してスライドさせる。これにより、スライド部材１５の腕部５２先端が、弁部材１４の係合段部４６を押圧して、弁部材１４を閉塞位置に回動させる。また、スライド部材１５が前方に移動して、スライド部材１５の水平面５３ｂが、操作部１７の突出部１７ａ上方から移動すると、操作部１７およびエア抜き用弁体１６がスプリング６３ａの付勢力により上昇する。図６（ａ）に示す位置までスライド部材１５を前方にスライドさせると、弁部材１４の止水用弁体４２が液通路２１の嵌入部２２内に嵌合し、液通路２１を閉鎖する。このとき、スライド部材１５の腕部５２先端下面が、弁部材１４の係合段部４６一端を係止することにより弁部材１４を閉塞位置に維持する。また。エア抜き用弁体１６は、中栓本体１１の挿通孔２４をシールする。
【００３１】
また、前記中栓１の中栓本体１１内を洗浄する場合、中栓本体１１から開放用蓋２８を取り外すことにより中栓本体１１内部を開放でき、中栓本体１１内部を容易に洗浄することができる。また、開放用蓋２８を開放したまま中栓本体１１を放置することにより中栓本体１１内部に残った水を乾燥させることができる。
【００３２】
前記第１実施形態の変形例として、図８Ａ〜Ｅに示すように、中栓１の中栓本体１１側壁に複数の開放口２７を形成し、これらの開放口２７に開放用蓋２８を着脱自在に設けることなく、開放させたままであってもよい。
【００３３】
以上の説明から明らかなように、本実施形態の液体容器２の中栓では、中栓本体１１側壁に、中栓本体１１内を開放するための開放口２７を形成したので、中栓本体１１内部を容易に洗浄、乾燥できる。
【００３４】
図９は、本発明の第２実施形態に係る中栓１を備えた液体容器２を示す。この中栓１の中栓本体１１は、上本体７１および下本体７２からなり、図１０に示すように、上本体７１および下本体７２に分離可能になっている。上本体７１は底壁７１ａを有し、該底壁７１ａには、上部液通路２１ｂに連通する開口７１ｂが形成されている。一方、下本体７２の上端より上方に突出し、その外周に前記上部液通路２１ａの開口７１ｂに嵌合する小径部２１ｃが形成され、該小径部２１ａの外周にシール部材７４が装着されている。前記上本体７１および下本体７２は、ロックリング７３によって一体に取り付け固定され、このとき、上部液通路２１ａと下部液通路２１ｂがシール部材７４を介して接続される。また、取り付け方法はロックリング７３に限らずねじ込み式であってもよい。この中栓本体１１内部を洗浄する場合、上下に分離し、図１１に示すように、上本体７１の底壁７１ａには、エア抜き用弁体１６の軸部６１が挿通する挿通穴７５と上本体７１内部を開放する開放口７６が形成されているので、中栓本体１１内部を容易に洗浄、乾燥できる。
【００３５】
このように、本実施形態の液体容器２の中栓１では、中栓本体１１を上本体７１および下本体７２に分離可能にしたので中栓本体１１内部を開放でき、容易に洗浄、乾燥できる。
【００３６】
図１２は、本発明の第３実施形態に係る中栓１を備えた液体容器２を示す。この中栓１の中栓本体１１は、上本体７１および下本体７２からなり、図１３および図１４に示すように、上本体７１および下本体７２は、ロックリング７３によって一体に取り付け固定されている。注口２３と一体に成形された液通路２１、容器２を閉塞するパッキン２６およびエア抜き用弁体１６は、下本体７２に設けられ、液通路２１を閉塞する弁部材１４および操作部１７を含む弁機構は、上本体７１に設けられている。図示するように、上本体７１と下本体７２を分離すると中栓本体１１の内部が大きく開放されるので容易に洗浄、乾燥できる。
【００３７】
このように、本実施形態の液体容器２の中栓１でも、中栓本体１１を上本体７１および下本体７２に分離可能にしたので中栓本体１１内部を開放でき、容易に洗浄、乾燥できる。
【図面の簡単な説明】
【００３８】
【図１】本発明の第１実施形態の中栓を適用した液体容器を示す断面図である。
【図２Ａ】図１の中栓の中栓本体を示す平面図である。
【図２Ｂ】図２Ａの背面図である。
【図２Ｃ】図２Ａの底面図である。
【図２Ｄ】図２ＡのＩ−Ｉ線断面図である。
【図２Ｅ】図２ＤのＩＩ−ＩＩ線断面図である。
【図３】（ａ）は、図１の中栓の開放用蓋の平面図である。（ｂ）は、（ａ）の背面図である。（ｃ）は、（ｂ）のＩＩＩ−ＩＩＩ線断面図である。
【図４】中栓本体に開放用蓋を取り付けた状態を示す断面図である。
【図５】図１の中栓の一部構成部品の分解斜視図である。
【図６】弁部材とスライド部材との関係を示し、（ａ）は、弁部材が閉塞位置に位置する状態の側面図、（ｂ）は、弁部材が開放位置に位置する状態の側面図である。
【図７】（ａ）は、弁部材が閉塞位置に位置する状態の中栓の断面図、（ｂ）は、弁部材が開放位置に位置する状態の中栓の断面図である。
【図８Ａ】図１の中栓の中栓本体の変形例を示す平面図である。
【図８Ｂ】図８Ａの背面図である。
【図８Ｃ】図８Ａの底面図である。
【図８Ｄ】図８ＡのＩＶ−ＩＶ線断面図である。
【図８Ｅ】図８ＤのＶ−Ｖ線断面図である。
【図９】第２実施形態の中栓を適用した液体容器を示す断面図である。
【図１０】図９の中栓を分離した状態を示す断面図である。
【図１１】図９の中栓の中栓本体の上本体を示す底面図である。
【図１２】第３実施形態の中栓を適用した液体容器を示す断面図である。
【図１３】図１２の中栓を分離した状態を示す断面図である。
【図１４】図１２の中栓を分離した状態を示す斜視図である。
【符号の説明】
【００３９】
１…中栓、２…液体容器、５…容器本体、１１…中栓本体、２１…液通路、
２３…注口、２６…パッキン、２７…開放口、２８…開放用蓋、７１…上本体、
７２…下本体。
【図１】
2004195216.tif 000003
【図２Ａ】
2004195216.tif 000004
【図２Ｂ】
2004195216.tif 000005
【図２Ｃ】
2004195216.tif 000006
【図２Ｄ】
2004195216.tif 000007
【図２Ｅ】
2004195216.tif 000008
【図３】
2004195216.tif 000009
【図４】
2004195216.tif 000010
【図５】
2004195216.tif 000011
【図６】
2004195216.tif 000012
【図７】
2004195216.tif 000013
【図８Ａ】
2004195216.tif 000014
【図８Ｂ】
2004195216.tif 000015
【図８Ｃ】
2004195216.tif 000016
【図８Ｄ】
2004195216.tif 000017
【図８Ｅ】
2004195216.tif 000018
【図９】
2004195216.tif 000019
【図１０】
2004195216.tif 000020
【図１１】
2004195216.tif 000021
【図１２】
2004195216.tif 000022
【図１３】
2004195216.tif 000023
【図１４】
2004195216.tif 000024